(57)【特許請求の範囲】
【請求項１】
上面に押圧部を有する成形樹脂製のキーキャップと、このキーキャップを上方で上下動可能に保持する成形樹脂製のケースと、このケースの下面に配設された硬質の基板と上記ケースの下面に設けられた凹部との間に水平方向に摺動可能に保持され、スペーサを介して対向する対向スイッチ接点部を有した一対の可撓性を有する配線フィルムと、上記キーキャップの下方に配置されてキーキャップの押圧動作により下面に設けた突部が上記配線フィルムの対向スイッチ接点部を押圧動作するラバードームと、上記キーキャップの押圧動作により上記対向スイッチ接点部にて発生した信号をワイヤレス信号として発光ダイオードより送信する制御回路が内蔵されたマイクロコンピュータと、これを駆動する電源からなり、上記ラバードームの下端を受ける滑りがよく可撓性を有するフィルムを上記配線フィルム上に装着すると共に、上記フィルムの上記ラバードームの突部に対応する位置に貫通孔を設けたワイヤレスキーボード。
【請求項２】
ケースの下面に配線フィルムを付勢する弾性を有した突部を設けると共に、この突部に対応して配線フィルム上にスイッチ接点部を設けることにより、配線フィルムを摺動させたときの配線フィルムの摺動位置を上記スイッチ接点部に対する突部の押圧状態により検出するようにした請求項１記載のワイヤレスキーボード。
【請求項３】
ケースの下面と配線フィルムの間に、弾性突部と節度山部で構成された節度機構を設けた請求項１または２記載のワイヤレスキーボード。
【発明の詳細な説明】
【０００１】
【発明の属する技術分野】
本発明はパーソナルコンピュータ、ワードプロセッサなどの情報処理機器、家庭用ゲーム機器などに用いられるワイヤレスキーボードに関するものである。
【０００２】
【従来の技術】
図５は従来のワイヤレスキーボードの回路を示すブロック図であり、同図において、３２は入力端子３１を有するキーウェイクアップ機能付きマイクロコンピュータ（以下、マイクロコンピュータという）で、入力端子３１にはスイッチマトリクス３３が接続され、また、マイクロコンピュータ３２には発振子３４、赤外発光ダイオード３７、電池または充電池などの電源３５が接続されてワイヤレスキーボードを構成している。
【０００３】
次に、このワイヤレスキーボードの動作について説明すると、スイッチマトリクス３３をオンした場合、オンに対応した信号がマイクロコンピュータ３２より出力され、赤外発光ダイオード３７により光を用いたワイヤレス信号を発生し、パーソナルコンピュータなどの情報処理機器本体へ送信されるものである。
【０００４】
また、ワイヤレスキーボードのスイッチマトリクス３３が操作されていない状態では、キーウェイクアップ機能を利用してマイクロコンピュータ３２に接続されている発振子３４の発振を停止することによってマイクロコンピュータ３２の状態を停止状態にし、消費電流を極小にするようにし、電源３５の寿命を延ばすことが行われていた。
【０００５】
なお、このキーウェイクアップ機能とは、必要な手順を踏んだソフトウェアを実行させることによって、マイクロコンピュータ３２を動作させるための発振子３４の発振を停止し、発振子３４が停止状態にある場合でも、スイッチマトリクス３３をオンした際の信号を検出し、発振子３４の発振を再開させてマイクロコンピュータ３２の動作を再開させることができる機能をいうものである。
【０００６】
【発明が解決しようとする課題】
しかしながら上記従来のワイヤレスキーボードにおいては、ワイヤレスキーボードのスイッチマトリクス３３が操作されていない状態では、キーウェイクアップ機能が作動してマイクロコンピュータ３２の状態を停止状態にし、消費電流を極小にしているにもかかわらず、図６（ａ）に示すように、ワイヤレスキーボード４１の上に書籍４２などが置かれた場合や、図６（ｂ）に示すように、ワイヤレスキーボード４１を縦にして壁４３にもたれ掛けさせるなどの行為によってスイッチマトリクス３３がオン状態になってしまうと、これによってマイクロコンピュータ３２は動作状態になるため、操作者が意図しないスイッチマトリクス３３のオンにより電源３５が消耗し、寿命を短くしていた。
【０００７】
また、高温環境下において、スイッチマトリクス３３を常時オン状態にするとスイッチマトリクス３３を構成する配線フィルム（図示せず）が変形を起こし、特性の低下につながるという課題もあった。
【０００８】
本発明はこのような従来の課題を解決しようとするものであり、操作者が意図しない原因によってスイッチマトリクスがオンすることの無いワイヤレスキーボードを提供することを目的とするものである。
【０００９】
【課題を解決するための手段】
上記課題を解決するために本発明は、ワイヤレスキーボードを操作しない場合、スイッチ接点部を有する配線フィルムを摺動させ、キーキャップと連動して上下動するラバードームの接点押圧部からスイッチ接点部をずらすことができる構成としたものである。
【００１０】
したがって、本発明によれば、操作者が作業の終了時に配線フィルムを摺動させることにより、操作者が意図しない原因によってスイッチ接点部がオンすることが無くなり、電源の寿命を延ばすことができるとともに、スイッチ接点部の特性の低下を防止できるワイヤレスキーボードを提供することができる。
【００１１】
【発明の実施の形態】
本発明の請求項１に記載の発明は、上面に押圧部を有する成形樹脂製のキーキャップと、このキーキャップを上方で上下動可能に保持する成形樹脂製のケースと、このケースの下面に配設された硬質の基板と上記ケースの下面に設けられた凹部との間に水平方向に摺動可能に保持され、スペーサを介して対向する対向スイッチ接点部を有した一対の可撓性を有する配線フィルムと、上記キーキャップの下方に配置されてキーキャップの押圧動作により下面に設けた突部が上記配線フィルムの対向スイッチ接点部を押圧動作するラバードームと、上記キーキャップの押圧動作により上記対向スイッチ接点部にて発生した信号をワイヤレス信号として発光ダイオードより送信する制御回路が内蔵されたマイクロコンピュータと、これを駆動する電源からなり、上記ラバードームの下端を受ける滑りがよく可撓性を有するフィルムを上記配線フィルム上に装着すると共に、上記フィルムの上記ラバードームの突部に対応する位置に貫通孔を設けた構成としたものであり、操作者が作業の終了時に配線フィルムを摺動させることにより、操作者が意図しない原因によってスイッチマトリクスがオンすることがなくなり、電源の消耗の防止ができるとともに、対向スイッチ接点部の特性の低下の防止もできて信頼性を向上したワイヤレスキーボードを提供できるという作用を有する。
さらに、ラバードームと配線フィルム間に滑りがよく可撓性を有するフィルムを配したことにより、ワイヤレスキーボードの操作者が配線フィルムを摺動させる際の操作性を向上させることができると共に、突部に対応する位置に貫通孔を設けたことにより、フィルムを装着することによるスイッチ操作荷重の増大や操作感触の変動を防止できて軽操作荷重の操作性に優れたワイヤレスキーボードを実現できるという作用を有する。
【００１４】
請求項２に記載の発明は、請求項１記載の発明において、ケース下面に配線フィルムを付勢する弾性を有した突部を設けると共に、この突部に対応して配線フィルム上にスイッチ接点部を設けることにより、配線フィルムを摺動させたときの配線フィルムの摺動位置を上記スイッチ接点部に対する突部の押圧状態により検出するようにした構成としたものであり、操作者が配線フィルムを摺動した状態の検出信号によりワイヤレスキーボードが使用状態か非使用状態かの状況をパーソナルコンピュータなどの情報処理機器本体が認識できるという作用を有する。
【００１５】
請求項３に記載の発明は、請求項１または２記載の発明において、ケースの下面と配線フィルムの間に、弾性突部と節度山部で構成された節度機構を設けた構成としたものであり、節度機構によりワイヤレスキーボードの配線フィルムを使用状態または非使用状態の位置に確実に停止できるとともに、操作者が配線フィルムを摺動させる際に、使用状態または非使用状態の切り換えを簡単に確認できるという作用を有する。
【００１６】
以下、本発明の実施の形態について図１〜図４を用いて説明する。
（実施の形態１）
図１（ａ）は本発明の第１の実施の形態によるワイヤレスキーボードのスイッチ部の断面図、同（ｂ）は同配線フィルムを摺動させた状態を示す断面図である。
【００１７】
なお、本実施の形態において、回路構成については上記従来技術と同一であるので説明を省略する。
【００１８】
同図において８は金属板製の基板、２は成形樹脂製のケースで、基板８の上部にはスペーサ６を介した内側に対向スイッチ接点部５Ａを有する一対の可撓性を有する配線フィルム５がケース２の下面凹部２Ａとの間を水平方向に摺動可能に保持されている。
【００１９】
一方、ケース２の貫通孔２Ｂには上面に押圧部を有する成形樹脂製のキーキャップ１の柱状部１Ａが上下動可能に保持され、その下方に配されたラバードーム４の中央部の下面には配線フィルム５の対向スイッチ接点部５Ａを押圧動作させるための突部４Ａが下方に突出している。
【００２０】
次に、このスイッチ部を備えたワイヤレスキーボードの動作について説明する。
【００２１】
図１（ａ）において、キーキャップ１を押し下げることによってラバードーム４が圧縮され、突部４Ａが配線フィルム５のスイッチ接点部５Ａを圧接することによりオンさせるように構成されている。
【００２２】
また、ワイヤレスキーボードを使用しない場合、図１（ｂ）に示すように配線フィルム５を水平方向に基板８上を引く、または押すことにより摺動させ、ラバードーム４の真下にある配線フィルム５を移動させて、配線フィルム５の対向スイッチ接点部５Ａをラバードーム４の突部４Ａの真下からずらせることができ、操作者がキーキャップ１を操作しても対向スイッチ接点部５Ａは接触せず、従ってキーはオンしなくなる。
【００２３】
さらに、ワイヤレスキーボードを非使用状態から使用状態に戻すときには、配線フィルム５を摺動させた方向と逆の方向に摺動させると、図１（ａ）の使用時のスイッチ状態に戻る。
【００２４】
なお、本実施の形態においては、ケース２にキーキャップ１を上下動可能に保持する構成として、キーキャップ１の下面に柱状部１Ａを設け、この柱状部１Ａがはまり込む貫通孔２Ｂをケース２の上面に設けた構成としたが、本発明はこの構成に限定されるものではなく、キーキャップ１がケース２に上下動可能に保持される構成であればどんな構成であっても良いことは言うまでもない。
【００２５】
（実施の形態２）
図２は、本発明の第２の実施の形態によるワイヤレスキーボードのスイッチ部の断面図であり、同図に示すように、ケース２の下面凹部２Ａに滑りがよく可撓性を有するフィルム９を装着してラバードーム４の下端を受けるようにすることにより、操作者が配線フィルム５を摺動させる際に、ラバードーム４下面が配線フィルム５の摺動により引っ張られることがなくスムーズに動き操作性を向上することができる。
【００２６】
なお、ラバードーム４の突部４Ａに対応するフィルム９の面に貫通孔９Ａを設けることにより、フィルム９を装着することによるスイッチ操作荷重の増大や操作感触の変動を防止できて軽操作荷重の操作性に優れたワイヤレスキーボードを実現できる。
【００２７】
（実施の形態３）
図３は本発明の第３の実施の形態によるワイヤレスキーボードの要部断面図であり、同図に示すようにケース２の下面に設けられ、配線フィルム５上を弾接摺動する突起２Ｃとこれに押されて開閉する対向スイッチ接点部５Ｂを設けることによって配線フィルム５を摺動したことを検出することができ、操作者が配線フィルム５を摺動した際の検出信号により使用状態が非使用状態かの状況をパーソナルコンピュータなどの情報処理機器本体が認識できる。
【００２８】
また、本ワイヤレスキーボード以外に入力手段があり、かつこの入力手段が図６に示したような操作者の意図しない原因による入力に対する対策ができない場合などに、この信号を使用することによって対策できるという効果を得ることができるものである。
【００２９】
（実施の形態４）
図４は本発明の第４の実施の形態によるワイヤレスキーボードの要部断面図であり、同図に示すようにケース２の下面に設けられた弾性突部と節度山部で構成された節度機構を例えばケース２下面の丸穴２Ｄにコイルバネ１０を介して保持されたボール１１を、配線フィルム５に装着された上面に節度山部１２Ａを有する摺動体１２に弾接させた節度機構としたものであり、配線フィルム５を使用状態または非使用状態の位置に確実に停止できるとともに、操作者が配線フィルム５を摺動させる際に、節度感により使用状態か非使用状態かの切り換えを確認でき、配線フィルム５の摺動操作を簡単にできるものである。
【００３０】
【発明の効果】
以上のように本発明によれば、ワイヤレスキーボードを操作しない場合、対向スイッチ接点部を有する配線フィルムを摺動させて、キーキャップと連動して上下動するラバードームの接点押圧部からスイッチ接点部をずらせる構成にすることによって、操作者が作業の終了時に配線フィルムを摺動させることによって、操作者が意図しない原因によってスイッチ接点部がオンすることが無くなり、電源の寿命を延ばすことができるとともに、スイッチ接点部の特性の低下を防止できるという有利な効果が得られるものである。
【図面の簡単な説明】
【図１】（ａ）本発明の第１の実施の形態によるワイヤレスキーボードのスイッチ部の断面図
（ｂ）同配線フィルムを摺動させた状態を示す断面図
【図２】本発明の第２の実施の形態によるワイヤレスキーボードのスイッチ部の断面図
【図３】本発明の第３の実施の形態のワイヤレスキーボードの配線フィルムの摺動検出方法を示す要部断面図
【図４】本発明の第４の実施の形態のワイヤレスキーボードの節度機構を示す要部断面図
【図５】従来のワイヤレスキーボードの回路を示すブロック図
【図６】同操作者の意図しない原因による入力例を示す概念図
【符号の説明】
１  キーキャップ
１Ａ  柱状部
２  ケース
２Ａ  下面凹部
２Ｂ  貫通孔
２Ｃ  突起
２Ｄ  丸穴
４  ラバードーム
４Ａ  突部
５  配線フィルム
５Ａ  対向スイッチ接点部
６  スペーサ
８  基板
９  フィルム
９Ａ  貫通孔
１０  コイルバネ
１１  ボール
１２  摺動体
１２Ａ  節度山部
【図１】
0003823372.tif 000002
【図２】
0003823372.tif 000003
【図３】
0003823372.tif 000004
【図４】
0003823372.tif 000005
【図５】
0003823372.tif 000006
【図６】
0003823372.tif 000007